(57)【特許請求の範囲】
【請求項１】
厚さ方向に貫通する複数の切り込み線が設けられ、該複数の切り込み線により舌片群が形成されたシート体に形成され、当該シート体を栽培用びんのびん口に巻装してガイド体を構成した際に、前記舌片群が前記ガイド体の表面から離反することにより前記ガイド体の通気孔を構成することを特徴とする茸栽培用巻紙。
【請求項２】
前記切り込み線は、前記びん口への巻き方向と交差する方向に伸び、かつ、前記びん口への巻き方向に湾曲する湾曲線に形成されていることを特徴とする請求項１記載の茸栽培用巻紙。
【請求項３】
前記切り込み線は、前記シート体の巻き方向に対向し、互いに逆方向であって、かつ、外方に向かって湾曲する一対の単位切り込み線が複数設けられていることを特徴とする請求項１記載の茸栽培用巻紙。
【請求項４】
前記切り込み線は、円弧状に形成されていることを特徴とする請求項１〜３のうちのいずれか一項に記載の茸栽培用巻紙。
【請求項５】
前記切り込み線は、コの字型に形成されていることを特徴とする請求項１〜３のうちのいずれか一項に記載の茸栽培用巻紙。
【請求項６】
前記びん口のカラー部と重複する部位には通気部が配設されていることを特徴とする請求項１〜５のうちのいずれか一項に記載の茸栽培用巻紙。
【請求項７】
前記シート体には、吊り下げ用孔が配設されていることを特徴とする請求項１〜６のうちのいずれか一項に記載の茸栽培用巻紙。
【請求項８】
前記吊り下げ用孔は、前記シート体の端部の耳部に配設されていることを特徴とする請求項７記載の茸栽培用巻紙。
【請求項９】
前記シート体の表面には、前記吊り下げ用孔を利用して複数枚を積層状態に並べて吊り下げた際に、前記シート体どうしの密着を防ぐスペーサーが配設されていることを特徴とする請求項７または８記載の茸栽培用巻紙。
【請求項１０】
前記スペーサーは、面ファスナーであることを特徴とする請求項９記載の茸栽培用巻紙。
【請求項１１】
前記シート体は、前記びん口に装着可能な径寸法を有する筒状体をなすように湾曲させた後に前記シート体の湾曲方向における端部が接合され、あらかじめガイド体に形成されていることを特徴とする請求項１〜１０のうちのいずれか一項に記載の茸栽培用巻紙。
【請求項１２】
前記シート体の湾曲方向における端部は、溶着または圧着により接合されていることを特徴とする請求項１１記載の茸栽培用巻紙。
【請求項１３】
前記ガイド体を積み重ねて保管する際に前記ガイド体どうしの密着を防ぐため、ガイド体の外周面に係合面をあらわした状態で面ファスナーが配設されていることを特徴とする請求項１１または１２記載の茸栽培用巻紙。
【発明の詳細な説明】
【技術分野】
【０００１】
本発明は茸の人工栽培において、茸の子実体の成長期に栽培びんに取り付けて成長ガイド体として用いる栽培用巻紙に関する。
【背景技術】
【０００２】
エノキ茸等の茸は、子実体の成長に伴って緩やかに拡径する形状となるのが好ましいとされている。このため、子実体の成長期においては、子実体が好ましい形状に成長するように、栽培びんのびん口に巻紙とよばれるシート体を巻きつけて、逆円錐台状に形成された成長ガイド体が装着されている。
また、特にエノキ茸は、形状もさることながら白色であることが好ましいため、子実体を成長させる際には光を当てないようにすることも重要な要素である。
以上の条件を満たし、繰り返しの利用が可能であってしかも安価な巻紙として、近年においては合成樹脂製のフィルム材により形成された茸栽培用巻紙が好適に用いられている。
【０００３】
また、エノキ茸は独特の歯ごたえも商品価値に反映し、生産者の収益に直結するため、人工栽培を行う上で重要な要素になる。茸に独特の歯ごたえを持たせるためには、適度な湿度条件下で子実体を成長させなければならないことが知られている。そこで、合成樹脂性フィルムに通気用の孔を設けた茸栽培用巻紙が例えば特許文献１において提案されている。
【先行技術文献】
【特許文献】
【０００４】
【特許文献１】公開実用昭和６２−１４２２３７号公報
【発明の概要】
【発明が解決しようとする課題】
【０００５】
茸栽培用巻紙に形成した通気用の孔の径寸法が大きいと、栽培用びんのびん口に茸栽培用巻紙を装着した際において、茸の子実体の一部が通気用の孔部分からはみ出した状態で成長し、茸全体の形状が不適切になってしまうという課題がある。
反面、通気用の孔の径寸法が小さいと、通気用の孔をプレス抜き加工等で形成した場合、通気用の孔の外周縁にばりが生じてしまうため、加工精度の高いプレス抜き機を用いなければならず、茸栽培用巻紙の製造コストが高騰してしまうといった課題がある。
【０００６】
そこで本願発明は、多数の隙間の狭い通気部分を確実にしかも低コストで形成することにより、形状、色彩、歯ごたえのそれぞれが好ましい状態となるように茸の子実体を成長させることが可能であって、繰り返し利用に十分耐えると共に安価な茸栽培用巻紙を提供することを目的としている。
【課題を解決するための手段】
【０００７】
本発明は、厚さ方向に貫通する複数の切り込み線が設けられ、該複数の切り込み線により舌片群が形成されたシート体に形成され、当該シート体を栽培用びんのびん口に巻装してガイド体を構成した際に、前記舌片群が前記ガイド体の表面から離反することにより前記ガイド体の通気孔を構成することを特徴とする茸栽培用巻紙である。
【０００８】
また、前記切り込み線は、前記びん口への巻き方向と交差する方向に伸び、かつ、前記びん口への巻き方向に湾曲する湾曲線に形成されていることを特徴とする。
【０００９】
また、前記切り込み線は、前記シート体の巻き方向に対向し、互いに逆方向であって、かつ、外方に向かって湾曲する一対の単位切り込み線が複数設けられていることを特徴とする。これらの切り込み線は、円弧状やコの字型に形成されていることが好ましい。
【００１０】
また、前記びん口のカラー部と重複する部位には通気部が配設されていることを特徴とする。
【００１１】
また、前記シート体には、吊り下げ用孔が配設されていることを特徴とし、この吊り下げ用孔は、前記シート体の端部の耳部に配設されていることが好ましい。
【００１２】
また、前記シート体の表面には、前記吊り下げ用孔を利用して複数枚を積層状態に並べて吊り下げた際に、前記シート体どうしの密着を防ぐスペーサーが配設されていることを特徴とし、このスペーサーには面ファスナーを用いることが好ましい。
【００１３】
また、前記シート体は、前記びん口に装着可能な径寸法を有する筒状体をなすように湾曲させた後に前記シート体の湾曲方向における端部が接合され、あらかじめガイド体に形成されていることを特徴とし、前記シート体の湾曲方向における端部は、溶着または圧着により接合されていることが好ましい。
【００１４】
また、前記ガイド体を積み重ねて保管する際に前記ガイド体どうしの密着を防ぐため、ガイド体の外周面に係合面をあらわした状態で面ファスナーが配設されていることを特徴とする。
【発明の効果】
【００１５】
本発明にかかる茸栽培用巻紙を栽培びんのびん口に巻装することで、シート体の切り込み線により形成された舌片群がガイド体から離反して通気部を形成する。この通気部により、子実体を成長させる際に栽培びんのびん口に装着するガイド体の通気部分を可及的に狭く、しかも安価に形成することができるため、通気部から子実体がガイド体の外にはみ出して成長したり、不適切な水分（湿度）条件下で成長することがなく、形状や歯ごたえに優れた商品価値の高い茸を栽培することが可能な茸栽培用巻紙を安価で提供することができる。
また、シート体に光波長のフィルター機能を有する材料を用いることで色あいにも優れた茸を栽培することができる。
【図面の簡単な説明】
【００１６】
【図１】第１実施形態における茸栽培用巻紙を示す平面図である。
【図２】茸栽培用巻紙を栽培びんに装着した状態を示す正面図である。
【図３】図２中のＡ部分における拡大図である。
【図４】第２実施形態における茸栽培用巻紙を示す平面図である。
【図５】第３実施形態における茸栽培用巻紙を示す平面図である。
【図６】第４実施形態における茸栽培用巻紙を示す平面図である。
【図７】第５実施形態における茸栽培用巻紙を示す平面図である。
【図８】第６実施形態における茸栽培用巻紙を示す平面図である。
【図９】第７実施形態における茸栽培用巻紙を示す正面図および背面図である。
【図１０】第８実施形態における茸栽培用巻紙を示す背面図である。
【発明を実施するための形態】
【００１７】
以下、本発明にかかる茸栽培用巻紙の実施形態について、図面に基づいて説明する。
【００１８】
（第１実施形態）
図１は、第１実施形態における茸栽培用巻紙を示す平面図である。図２は、茸栽培用巻紙を栽培びんに装着した状態を示す正面図である。図３は、図２中のＡ部分における拡大図である。
図１に示すように、本実施形態における茸栽培用巻紙１０は、扇形の一部を取り除いた湾曲した帯状のシート体１２に形成されている。シート体１２の材料としては、ポリプロピレンフィルム等の合成樹脂フィルムが好適に用いられる。
【００１９】
シート体１２の両端部位置には、面ファスナー１４が取り付けられている。シート体１２への面ファスナー１４の取り付け方法は、シート体１２の面ファスナー１４取り付け位置に貫通孔１６を形成し、シート体１２の一方の面から面ファスナー１４で貫通孔１６を覆った後、シート体１２の反対側の面から熱溶着シート１７で貫通孔１６を覆うようにして貼り付けて熱溶着することにより、面ファスナー１４と熱溶着シート１７とによりシート体１２を挟持させた状態で取り付ける方法（特許第３４８１６０６号）が好適に用いられる。シート体１２への面ファスナー１４の取り付け方法は、この方法に限定されるものではなく、他の取り付け方法を採用することももちろんできる。
【００２０】
シート体１２にはシート体１２の厚さ方向に貫通する切り込み線２０が形成されている。本実施形態における切り込み線２０は片カッコ型等の湾曲形状に形成されている。切り込み線２０は、シート体１２の延伸方向（図中の左右方向、すなわち、びん口３２への巻き方向）に交差する方向に伸び、かつ、シート体１２の延伸方向に湾曲する湾曲線に形成されている。
また、シート体１２の長手方向を均等に区分する中心線１８の左右の領域１８Ａ，１８Ｂにおいて、それぞれの領域１８Ａ，１８Ｂ内では各々の切り込み線２０，２０，２０，・・・（以下、切り込み線群ということがある）が同一方向に千鳥配列で形成されている。そして、互いの領域１８Ａ，１８Ｂどうしにおいては、中心線１８を中心として左右対称の配置となるように各々の切り込み線群が形成されている。
【００２１】
また、シート体１２には、シート体１２の短辺側の円弧状端縁（図１における下側端縁）に沿って貫通孔からなる通気部１９が所要間隔に配設されている。通気部１９の径寸法は、栽培びん３０のびん口３２のカラー部分３４の高さの範囲内に収まる径寸法であることが好ましいが、特に制約されるものではない。図２には通気部１９を一段配置した状態が示されているが、カラー部分３４と重複する部分に複数段に通気部１９を配設してもよいのはもちろんである。
【００２２】
シート体１２を以上のように加工することにより茸栽培用巻紙１０が形成される。茸栽培用巻紙１０は、図２に示すように、栽培びん３０のびん口３２のカラー部分３４に茸栽培用巻紙１０（シート体１２）の短辺側の円弧状端縁を巻きつけ、面ファスナー１４どうしを係合させることにより装着（巻装）される。栽培びん３０に巻装された茸栽培用巻紙１０は、上方に徐々に拡径する逆円錐台状の形状となり、茸の子実体を成長させる際におけるガイド体４０に構成される。
【００２３】
栽培びん３０のびん口３２に茸栽培用巻紙１０を巻装することによりガイド体４０が形成されると、シート体１２に形成されていた切り込み線２０部分によりシート体１２の一部が舌片４２となる。このような舌片４２はシート体１２に多数個配設され、舌片群をなしている。
シート体１２の舌片４２の部位を除く部分は、びん口３２に沿って弾性変形し、逆円錐台状に湾曲するガイド体４０を構成する。これに対してシート体１２の舌片４２が形成されている部位は、切り込み線２０によって、ガイド体４０の湾曲表面と不連続になり、ガイド体４０の表面から離反する（図３参照）。すなわち、舌片４２の部位は、切り込み線２０の両端部位置におけるガイド体４０外表面の周方向における接線方向に伸びることになる。この結果として、舌片４２とガイド体４０表面との間に隙間が形成されるのである。この隙間がガイド体４０の内側と外側とを連通する通気孔４４となっている。この通気孔４４によりガイド体４０の内側空間における湿度調整が可能になる。ガイド体４０の表面と舌片４２との離間距離は切り込み線２０の湾曲度合いおよび延長により規定することができ、予め茸栽培用巻紙１０を試作することにより切り込み線２０に関する必要な数値を得ることができる。
【００２４】
子実体が進入しないようにするため、ガイド体４０と舌片４２の先端との離間距離（通気孔４４の隙間寸法）を小さくしたとしても、ガイド体４０には多数の舌片４２（舌片群）が形成されること、および、ガイド体４０から離反する舌片４２の縁部総延長（切り込み線２０の長さ）を増やすことにより、通気空間として作用する開口面積の総和は従来の通気部の開口面積の総和と同等以上にすることができる。
このことに加え、栽培びん３０のびん口３２のカラー部分３４と重複している部分には従来と同様の貫通孔１９が設けられているし、子実体の成長に伴って、子実体により舌片４２が押し広げられ、通気孔４４の隙間寸法がさらに大きくなることも期待できるので、十分な通気を確保することが可能である。
【００２５】
（第２実施形態）
図４は、第２実施形態における茸栽培用巻紙を示す平面図である。
本実施形態においては第１実施形態と同じ構成については図４内に同じ番号を付すことにより詳細な説明を省略し、本実施形態における特徴的な部分についてのみ説明を行うことにする。
【００２６】
先の実施形態においては、シート体１２に形成される切り込み線２０の湾曲向きは、シート体１２の長手方向を等しく区分する中心線１８の左右の領域１８Ａ，１８Ｂにおいて互いに中心線１８において線対称になっているが、本実施形態においては、第１実施形態と同等の作用をなす茸栽培用巻紙１０の変形例について説明する。
図４内に示すように、本実施形態にかかる茸栽培用巻紙１０は、右側に突出する状態に湾曲する一方の切り込み線２０が配置されている領域をＷ１とし、左側に突出する状態に湾曲する他方の切り込み線２０が配置されている領域をＷ２とＷ３とした場合において、シート体１２内の領域Ｗ１内における一方の切り込み線２０の配設数と、シート体１２内の領域Ｗ２およびＷ３内における他方の切り込み線２０の配設数とが同数となるようにした。
このように切り込み線群を配設した場合であっても、茸栽培用巻紙１０を栽培びん３０のびん口３２に装着すれば、第１実施形態と実質的に同様のガイド体４０を構成することができる。
【００２７】
（第３実施形態）
図５は、第３実施形態における茸栽培用巻紙を示す平面図である。
本実施形態においては、切り込み線２０の形状をコの字状とし、コの字状の切り込み線２０を左右対称（シート体１２の長手方向に直交する線に対称）に２本配設することで単位切り込み線２２を構成し、シート体１２内に単位切り込み線２２が複数配設されていることが特徴的である。単位切り込み線２２を構成する切り込み線２０は、互いの開口部側がシート体１２の長手方向において対向した状態で配設されている。
【００２８】
本実施形態においては、単位切り込み線２２を２本の切り込み線２０，２０により構成しているが、単位切り込み線２２内において切り込み線２０が左右（シート体１２の長手方向）対称に配設されていればよく、４本，６本，８本，・・・というように偶数本の切り込み線２０により単位切り込み線２２を構成することもできる。
【００２９】
本実施形態における切り込み線２０は直線からのみ構成されており、湾曲線ではないという点においても他の実施形態と異なる特徴点である。
このことから、本発明においてシート体１２に形成される切り込み線２０は、茸栽培用巻紙１０を栽培びん３０のびん口３２に装着して、円錐台状のガイド体４０を形成した際に、切り込み線２０部分がガイド体４０の表面から離反して舌片４２を形成することができれば、湾曲線状以外の切り込み線２０を採用してもよいということがいえる。
【００３０】
（第４実施形態）
図６は、第４実施形態における茸栽培用巻紙を示す平面図である。
以上に説明した実施形態においては、切り込み線２０の湾曲部（屈曲部）の向きが茸栽培用巻紙１０（シート体１２）の長手方向において左右対称となるように配設されている実施形態について説明しているが、これは、茸栽培用巻紙１０を繰り返し使用する際において、栽培びん３０に装着する茸栽培用巻紙１０の周設向きを反対向きにして用いることがあり、この場合においてもガイド体４０表面から舌片４２を適切に離反させるためである。しかしながら、切り込み線２０の配設向きは、上記実施形態のように茸栽培用巻紙１０の長手方向において必ずしも左右対称になっていなくてもよいのである。具体的には、図６に示すように、茸栽培用巻紙１０（シート体１２）において、切り込み線２０の配向を一方向のみにする形態とすることもちろん可能である。
【００３１】
（第５実施形態）
図７は、第５実施形態における茸栽培用巻紙を示す平面図である。本実施形態における茸栽培用巻紙１０には、吊り下げ用孔２７が配設されている。吊り下げ用孔２７は、茸栽培用巻紙１０の端部に設けられた耳部２５に配設されている。茸栽培用巻紙１０は、茸収穫後に洗浄および乾燥させてから再利用するが、洗浄後の乾燥時にフック等に係止させておくことができるため、省スペースで茸栽培用巻紙１０を乾燥させることができるため好都合である。
【００３２】
（第６実施形態）
図８は、第６実施形態における茸栽培用巻紙を示す平面図である。本実施形態における茸栽培用巻紙１０は、第５実施形態における茸栽培用巻紙１０の構成に加え、茸栽培用巻紙１０の平面中央部分にスペーサーとしての面ファスナー１４が配設されている点が特徴的である。面ファスナー１４は、第１実施形態で説明した方法と同様にして配設することができる。茸栽培用巻紙１０の表面から面ファスナー１４が突出することで、洗浄直後において、吊り下げ用孔２７で係止された濡れた状態の茸栽培用巻紙１０どうしの密着が防止され、茸栽培用巻紙１０を積層状態で並べても乾燥が促進され、省スペースで効率的な乾燥処理が可能になる。また、面ファスナー１４を乾燥させための所要時間は茸栽培用巻紙１０を乾燥させるための所要時間よりも短時間である。すなわち、洗浄した茸栽培用巻紙１０を可及的短時間で乾燥させることができるため好都合である。このように、濡れた状態の茸栽培用巻紙１０どうしの密着を防ぐことができればスペーサーとして用いる材料は、面ファスナー１４に限定されるものではなく、単なるスペーサーを用いることもできる。また、栽培びん３０のカラー部分３４に巻き付けられる部位に配設された面ファスナー１４は、茸栽培用巻紙１０（シート体１２）の表面と裏面の両面にそれぞれ一枚ずつ取り付けられているから、茸栽培用巻紙１０の洗浄後の乾燥工程におけるスペーサーとしても機能するのはもちろんである。
【００３３】
（第７実施形態）
図９は、第７実施形態における茸栽培用巻紙を示す正面図および背面図である。本実施形態における茸栽培用巻紙１０は、第１実施形態〜第６実施形態において説明した茸栽培用巻紙１０とは異なり、あらかじめ、図２および図９で示すようなガイド体４０をなしている点が特徴的である。本実施形態における茸栽培用巻紙１０は、先の実施形態で説明したような円弧状をなす湾曲した帯状ではなく長方形状に形成されている。長方形状に形成された茸栽培用巻紙１０を栽培びん３０のびん口３２の径寸法に合わせて湾曲させ、図９に示すように寸胴な筒状に形成する。茸栽培用巻紙１０（シート体１２）の湾曲方向における端部５０は、超音波溶着や熱圧着等により接合することができる。このように、あらかじめ茸栽培用巻紙１０によりガイド体４０を形成しておくことで、栽培びん３０への装着を容易にすることができる。子実体が十分に成長し、茸を収穫する際にはガイド体４０ごと栽培びん３０から取り外せばよい。すなわち、収穫時におけるガイド体４０（茸栽培用巻紙１０）の取り外し作業を省略することもでき、茸栽培における省力化が可能である。
【００３４】
（第８実施形態）
図１０は、第８実施形態における茸栽培用巻紙の背面図である。本実施形態は第７実施形態の変形例である。本実施形態における茸栽培用巻紙１０もまた、あらかじめガイド体４０に形成されている。ここでは、ガイド体４０が逆円錐台状をなしている点と茸栽培用巻紙１０の端部５０の接合形態が第７実施形態と異なっている。本実施形態のガイド体４０は、栽培びん３０への装着側（図中下側）の径寸法に対して、子実体成長側（図中上側）の径寸法の方が大きくなるように形成されている。すなわち、茸栽培用巻紙１０の平面形状は、円弧状をなす湾曲した帯状となる。また、茸栽培用巻紙１０（シート体１２）の湾曲方向における端部５０には、係合面がガイド体４０の外周面にあらわれるように面ファスナー１４が配設されている。ここではガイド体４０の高さ方向にわたってほぼ均等な間隔で３箇所に面ファスナー１４を配設した。ここで、シート体１２への面ファスナー１４の配設方法は、先の実施形態において説明したとおりである。
【００３５】
このように逆円錐台状をなすガイド体４０と面ファスナー１４との組み合わせにより、ガイド体４０を繰り返し使用する際において、ガイド体４０を洗浄して乾燥させる際に、ガイド体４０を高さ方向に積み重ねることができる。このようにガイド体４０を積み重ねても、面ファスナー１４がスペーサーとなり、ガイド体４０どうしの密着を防止することができる。すなわち、ガイド体４０を乾燥させる際に要するスペースを少なくすることができる点で有利である。
【００３６】
以上に、本実施形態に基づいて本発明を説明してきたが、本発明は本実施形態にのみ限定されるものではないのはもちろんであり、発明の要旨を変更しない範囲において各種改変を施したとしても本発明の技術的範囲に属することはいうまでもない。
例えば、以上の実施形態においては、シート材１２としてポリプロピレン等の合成樹脂製フィルムを用いているが、従来のろう紙により形成したシート体１２においても本願発明をそのまま適用することができる。
また、第１実施形態および第２実施形態においては、切り込み線２０を千鳥配列に配設している形態について説明しているが、切り込み線２０はシート体１２に直列配置に配設することももちろん可能である。
【００３７】
また、以上の実施形態においては、茸栽培用巻紙１０に形成する切り込み線２０をすべて同じに大きさ（長さ）に設定しているが、茸栽培用巻紙１０の短辺側端縁（下側端縁）から長辺側端縁（上側端縁）に近付くにつれて徐々に切り込み線２０の大きさ（長さ）を拡大するように形成する形態を採用してもよい。
この形態を採用することにより、小さい子実体が当たる成長初期においては子実体が舌片４２の通気孔４４からガイド体４０の外部にはみ出すことを防止することができる。また、成長期後期においては子実体が大きくなるため、子実体による舌片４２の押圧力も大きくなると共に、通気孔４４からはみ出してしまうことがないため、ガイド体４０表面からの舌片４２の離反量を好適に増加させることができるので、ガイド体４０の内外の空気の流通量が増え、より好適な生育条件を提供することが可能である。
【００３８】
また、以上の実施形態における茸栽培用巻紙１０は、栽培びん３０のびん口３２のカラー部分３４と重複する部位に、円形の通気部１９を配設することによりガイド体４０の通気部として機能させている形態についてそれぞれ説明しているが、カラー部分３４と重複する部位に円形の貫通孔１９に代えて切り込み線２０を配設した茸栽培用巻紙１０とすることによっても、以上の実施形態と同様の作用効果を得ることができる。
【００３９】
また、吊り下げ用孔２７は耳部２５以外の部位に配設されていても良く、吊り下げ孔２７が配設されていない場合には、通気部１９で代用することもできる。この場合にも、茸栽培用巻紙１０の平面中央部分に面ファスナー１４が配設されていれば、茸栽培用巻紙１０を洗浄した後の乾燥時における茸栽培用巻紙１０どうしの密着を防止することができるため好都合である。
【符号の説明】
【００４０】
１０  茸栽培用巻紙
１２  シート体
１４  面ファスナー
１６  貫通孔
１７  熱溶着シート
１８  中心線
１８Ａ，１８Ｂ  領域
１９  通気部
２０  切り込み線
２２  単位切り込み線
２５  耳部
２７  吊り下げ用孔
３０  栽培びん
３２  びん口
３４  カラー部分
４０  ガイド体
４２  舌片
４４  通気孔
５０  茸栽培用巻紙の端部
【要約】      （修正有）【課題】多数の隙間の狭い通気部分を確実にしかも低コストで形成することにより、形状、色彩、歯ごたえのそれぞれが好ましい状態となるように茸の子実体を成長させることが可能であって、繰り返し利用に十分耐えると共に安価な茸栽培用巻紙を提供する。【解決手段】厚さ方向に貫通する複数の切り込み線２０が設けられ、複数の切り込み線２０により舌片４２群が形成されたシート体１２に形成され、シート体１２を栽培用びん３０のびん口３２に巻装してガイド体４０を構成した際に、舌片４２群がガイド体４０の表面から離反することによりガイド体４０の通気用孔４４を構成することを特徴とする。【選択図】図２【図１】
0004307520.tif 000002
【図２】
0004307520.tif 000003
【図３】
0004307520.tif 000004
【図４】
0004307520.tif 000005
【図５】
0004307520.tif 000006
【図６】
0004307520.tif 000007
【図７】
0004307520.tif 000008
【図８】
0004307520.tif 000009
【図９】
0004307520.tif 000010
【図１０】
0004307520.tif 000011